(57)【特許請求の範囲】
【請求項１】
コンプレッサ（９）、室外熱交換器（１０）、冷媒流れ方向上流側の第１室内熱交換器（６）、冷媒流れ方向下流側の第２室内熱交換器（５）、および減圧手段（Ａ，Ｂ）を冷媒配管（１１）により連結し、前記コンプレッサ（９）から吐出した冷媒を前記室外熱交換器（１０）をバイパスさせて前記第１室内熱交換器（６）に導くバイパス管（１４）と、前記コンプレッサ（９）から吐出した冷媒を冷房運転時は前記室外熱交換器（１０）側に導き暖房運転時は前記バイパス管（１４）側に導く冷媒流路切替手段（１２）と、前記室外熱交換器（１０）に滞留している冷媒を前記コンプレッサ（９）の吸入側に戻すための冷媒回収管（１３）とを備えてなるヒートポンプ式自動車用空気調和装置において、
前記冷媒流路切替手段（１２）は、暖房運転初期に、冷房運転側に設定され、サイクル圧力が所定値以上になった時に暖房運転側に切り替えられ、
前記暖房運転初期において前記冷媒流路切替手段（１２）が冷房運転側に設定されている際には、取り入れた空気を車室内に向かって圧送するブロアファン（４）と、前記室外熱交換器（１０）に空気を送りこれを冷却するためのコンデンサファン（１７）とを共にＯＦＦにすることを特徴とするヒートポンプ式自動車用空気調和装置。
【請求項２】
前記室外熱交換器は、ラジエータとコンデンサを一体化した一体型熱交換器（３０）であることを特徴とする請求項１記載のヒートポンプ式自動車用空気調和装置。
【発明の詳細な説明】
【０００１】
【発明の属する技術分野】
本発明は、冷媒を利用して車室内の冷暖房を行うヒートポンプ式自動車用空気調和装置に関し、特に、運転モードを暖房運転に切り替えたときの冷凍サイクル内の冷媒量を適正に維持することができるものに関する。
【０００２】
【従来の技術】
ヒートポンプ式自動車用空気調和装置は、ユニット内にサブコンデンサと呼ばれる室内熱交換器を設け、コンプレッサによって圧縮された高温高圧の冷媒を暖房熱源として利用するようにしたシステムである。つまり、冷房、暖房ともに冷媒を用いたサイクル運転を行って車室内を冷暖房するようにしたものである。ユニット外にはメインコンデンサと呼ばれる室外熱交換器が設けられ、暖房運転時と冷房運転時とで機能させるコンデンサを切り替えることによって、運転モードが切り替えられる。コンプレッサから吐出した冷媒は、冷房運転時にはメインコンデンサに導入され、暖房運転時にはメインコンデンサをバイパスして直接サブコンデンサに導入される。なお、以下では、冷房運転時に形成される冷凍サイクルを冷房サイクル、暖房運転時に形成される冷凍サイクルを暖房サイクルと呼ぶことにする。
【０００３】
このようなヒートポンプ式自動車用空気調和装置においては、暖房運転時にメインコンデンサをバイパスさせる暖房サイクルとなるため、メインコンデンサに冷媒が過剰に滞留すると、暖房サイクルを循環する冷媒量が不足するおそれがある。そこで、冷媒回収管を設けて、暖房運転初期にメインコンデンサに滞留している冷媒をコンプレッサの吸入側に戻すようにしたシステムが現在開発されている（例えば、特開平９−１０９６６９号公報参照）。
【０００４】
なお、このようなヒートポンプ式自動車用空気調和装置には、暖房性能を向上させるため、冷媒を熱源として利用する上記ヒートポンプシステムに加え、エンジン冷却水を熱源として利用するヒータコアシステムを併用したものがあり、また、通常は除湿機能を織り込んで（除湿暖房の実現）、フロントガラスの曇りを防止して、安全運転を確保しうるようにしている。さらには、そもそもエンジン冷却水を利用できない電気自動車用のカーエアコンとしても使用可能である。
【０００５】
【発明が解決しようとする課題】
ところが、その後の実験などにより、暖房運転初期において冷媒回収管によりメインコンデンサに滞留している冷媒をコンプレッサの吸入側に戻して回収しようとしても、回収される量はそれほど多くないことがわかった。その理由としては、主に、メインコンデンサに滞留している冷媒の圧力が低いため、メインコンデンサ内の冷媒圧力とコンプレッサの吸入圧力との差が小さく、圧力差による冷媒の移動が起こりにくいためであると考えられる。暖房運転時にメインコンデンサからの冷媒の回収量が少ないと、暖房サイクル内の冷媒量を適正に維持することができず、いわゆる過少冷媒の状態で暖房運転を行うことになるため、暖房性能が低下したり潤滑性が低下したりするおそれがある。
【０００６】
本発明は、室外熱交換器（メインコンデンサ）に滞留している冷媒の回収の仕方における上記課題に着目してなされたものであり、部品を追加することなく制御のみで暖房運転時の冷媒回収を有効かつ効率的に行うことができるヒートポンプ式自動車用空気調和装置を提供することを目的とする。
【０００７】
【課題を解決するための手段】
上記目的を達成するため、請求項１記載の発明は、コンプレッサ、室外熱交換器、冷媒流れ方向上流側の第１室内熱交換器、冷媒流れ方向下流側の第２室内熱交換器、および減圧手段を冷媒配管により連結し、前記コンプレッサから吐出した冷媒を前記室外熱交換器をバイパスさせて前記第１室内熱交換器に導くバイパス管と、前記コンプレッサから吐出した冷媒を冷房運転時は前記室外熱交換器側に導き暖房運転時は前記バイパス管側に導く冷媒流路切替手段と、前記室外熱交換器に滞留している冷媒を前記コンプレッサの吸入側に戻すための冷媒回収管とを備えてなるヒートポンプ式自動車用空気調和装置において、前記冷媒流路切替手段は、暖房運転初期に、冷房運転側に設定され、サイクル圧力が所定値以上になった時に暖房運転側に切り替えられ、前記暖房運転初期において前記冷媒流路切替手段が冷房運転側に設定されている際には、取り入れた空気を車室内に向かって圧送するブロアファンと、前記室外熱交換器に空気を送りこれを冷却するためのコンデンサファンとを共にＯＦＦにすることを特徴とする。
【０００８】
本発明によると、暖房運転初期において、冷媒流路切替手段は冷房運転側に設定されるので、コンプレッサから吐出した冷媒は室外熱交換器側に導かれ、冷房運転時の冷凍サイクル（冷房サイクル）が一時的に形成される。冷房サイクルの立ち上がりに伴って冷房サイクルの圧力は次第に上昇し、室外熱交換器の内圧、つまり室外熱交換器内の冷媒圧力も上昇する。したがって、その後、適当なタイミングで冷媒流路切替手段を本来の暖房運転側に切り替えると、この時点では室外熱交換器の内圧とコンプレッサの吸入圧力との差がある程度大きくなっているので、その圧力差によって室外熱交換器内の冷媒は冷媒回収管を通って低圧のコンプレッサの吸入側に移動し、暖房運転時の冷凍サイクル（暖房サイクル）内に戻されることになる。
特に、前記適当なタイミングとして、サイクル圧力を監視するものである。サイクル圧力は、室外熱交換器の内圧と正の相関関係にあるから、冷媒の移動が生じやすい程度にまで室外熱交換器の内圧が上昇したと判断することができるものであれば、冷房サイクル内のどこの圧力でもよい。例えば、コンプレッサ吐出圧力またはこれに相当する圧力、あるいは室外熱交換器の入口または出口の圧力などである。
【００１１】
請求項２記載の発明は、上記請求項１記載のヒートポンプ式自動車用空気調和装置において、前記室外熱交換器は、ラジエータとコンデンサを一体化した一体型熱交換器であることを特徴とする。
【００１２】
本発明によると、室外熱交換器はラジエータとコンデンサとの一体型熱交換器であるため、暖房運転初期に冷媒流路切替手段を冷房運転側に制御したことによる冷房サイクルの形成に伴うコンデンサ部の内圧の上昇に加えて、ラジエータ部で放出された熱によるコンデンサ部内の冷媒の加熱によりその圧力はさらに迅速に上昇することになる。したがって、より短時間で冷媒流路切替手段を本来の暖房運転側に切り替えることができる。
【００１３】
【発明の実施の形態】
以下、図面を使って、本発明の実施の形態を説明する。
【００１４】
《第１実施形態》
図１および図２は、本発明の第１の実施の形態に係るヒートポンプ式自動車用空気調和装置を示す概略構成図であり、図１は暖房運転時、図２は暖房運転初期および冷房運転時をそれぞれ示している。ここでは、例として、冷媒を利用して暖房を行うヒートポンプシステムとエンジン冷却水を利用して暖房を行うヒータコアシステムとを併用したものの一例を示している。
【００１５】
この自動車用空気調和装置は、車室内外の空気（内外気）を選択的に取り入れて空気調和した後車室内の所定の場所に向かって吹き出す空調ユニット１を有している。
【００１６】
この空調ユニット１は、取り入れた空気を車室内に向かって送るためのダクト２を有し、このダクト２内の空気通路３内に、白抜き矢印で示す空気の流れ方向の上流側から順に、内気取入口および外気取入口（共に図示せず）を選択的に開閉する図示しないインテークドアと、インテークドアにより選択された内外気を空気通路３内に導入し下流側に向かって圧送するブロアファン４と、第２室内熱交換器５と、第１室内熱交換器６と、エンジン冷却水を利用して取入れ空気を加熱するヒータコア７とを有している。ヒータコア７の前面には、ヒータコア７を通過する空気とこれを迂回する空気との割合を調節するためのエアミックスドア８が回動自在に設けられている。また、図示しないが、ヒータコア７の下流側には、温度調節された空気を車室内の所定の場所に向かって吹き出すための各種吹出口が形成されている。後で詳述するように、第１室内熱交換器６は、暖房運転時には冷媒を凝縮液化させて取入れ空気を加熱するサブコンデンサとして、暖房運転初期および冷房運転時には冷媒を蒸発させて取入れ空気を冷却するエバポレータとしてそれぞれ機能し、第２室内熱交換器５は、暖房運転時および冷房運転時にエバポレータとして機能するようになっている。
【００１７】
このヒートポンプ式自動車用空気調和装置は、冷房、暖房ともに冷媒を用いたサイクル運転を行うことによって車室内の冷房と除湿暖房を行うものであって、従来と同様の冷凍サイクルを有している。
【００１８】
すなわち、空調ユニット１の外部には、図示しないエンジンにより図示しないベルトを介して回転駆動されるコンプレッサ９と、室外熱交換器としてのメインコンデンサ１０とが配設されている。冷凍サイクルは、これらコンプレッサ９およびメインコンデンサ１０、ならびに上記した第１室内熱交換器６および第２熱交換器５、ならびに減圧手段としての流量切替電磁弁Ａ，Ｂを、冷媒配管１１により連結し、その中に冷媒を封入して構成されている。流量切替電磁弁Ａ，Ｂは、外部からの電気的信号により、その弁位置が全開状態と絞り状態の二段階に切替え可能なものであって、絞り状態に設定された場合には冷媒を減圧し膨脹させるためのオリフィスとして機能することになる。流量切替電磁弁Ａは第１室内熱交換器６用、流量切替電磁弁Ｂは第２室内熱交換器５用である。
【００１９】
また、暖房運転時と冷房運転時とで機能させるコンデンサを切り替えるため、メインコンデンサ１０の入口には、冷媒の流れを切り替えるための四方弁１２が冷媒流路切替手段として設けられている。この四方弁１２は、密閉ケースに一つの入口ポートと三つの出口ポートを設けるとともに、同ケース内に前記三つの出口ポートのうち二つの出口ポートを連通するスライド部材を設け、このスライド部材によって選択された出口ポート以外の出口ポートが入口ポートと連通するように構成されている。したがって、スライド部材の位置によって入口ポートと連通される出口ポートが選択されることになる。ここでは、四方弁１２の入口ポートはコンプレッサ９の吐出側と接続され、四方弁１２の三つの出力ポートは、メインコンデンサ１０の入口、冷媒回収管１３を介してコンプレッサ９の吸入側、バイパス管１４を介してメインコンデンサ１０の出口にそれぞれ接続されている。このような四方弁１２によって、コンプレッサ９から吐出された冷媒をメインコンデンサ１０に導く冷房サイクル（図２参照）と、コンプレッサ９から吐出された冷媒をバイパス管１４を介して直接サブコンデンサとしての第１室内熱交換器６に導く暖房サイクル（図１参照）とが切り替えられる。
【００２０】
また、空調ユニット１の外部には、ヒートポンプによる暖房性能を高めるため、コンプレッサ９の吸入側とエバポレータとして機能する第２室内熱交換器５の出口との間の低圧側冷媒通路に、サブエバポレータと呼ばれる室外エバポレータ（室外熱交換器）が設けられている。このサブエバポレータ１５は、内部を流通する冷媒をエンジン冷却水との熱交換により加熱する機能を有しており、いわば温水−冷媒熱交換器ともいうべきものである。
【００２１】
このようなサブエバポレータ１５を設けることで、たとえ低温のため空気と熱交換してもただちに暖房用として使用できないエンジン冷却水であっても、当該サブエバポレータ１５において流入した冷媒と熱交換させることにより、その冷媒はエンジン冷却水が保有する熱を有効に取り込んで加熱された（つまり、エンタルピーが増加した）後、コンプレッサ９に帰還し、再度コンプレッサ９で圧縮、加圧されることになるので、コンプレッサ９から吐出される冷媒はより高温の冷媒となって、サブコンデンサ（第１室内熱交換器）６に供給されることになる。その結果、サブコンデンサ６の放熱性能が高まり、そこで熱交換された空気はより高温となるため、より高い暖房性能が発揮され、即暖性も向上することになる。
【００２２】
さらに、サブエバポレータ１５とコンプレッサ９との間には、余剰冷媒の貯溜と気液の分離を行いガス冷媒のみをコンプレッサ９に戻すためのアキュムレータ１６が設けられている。アキュムレータ１６は、冷媒を貯溜する比較的容量のある容器であるため、仮に冷媒が液状態で帰還してきても、これを気化してコンプレッサ９に戻すことができ、液圧縮によるコンプレッサ９の破損を防止することができるようになっている。
【００２３】
なお、上記したように四方弁１２の出口側（出口ポートの一つ）とコンプレッサ９の吸入側との間には冷媒回収管１３が設けられているが、この冷媒回収管１３は、外気温度が低く、エンジン冷却水をただちに暖房熱源として使用できないときに、冷媒を利用して暖房を行うべく、メインコンデンサ１０に滞留しているいわゆる寝込み冷媒をコンプレッサ９に戻し、適正な多量の冷媒を用いて性能の高い暖房ができるようにするためのものである。この冷媒の回収の仕方については、本発明の内容でもあり、後で詳述する。
【００２４】
また、図１、図２中、１７はメインコンデンサ１０に空気を送りこれを冷却するためのコンデンサファン、１８，１９はそれぞれ反対方向の流れを阻止するための逆止弁、２０は冷媒回収管１３を開閉するための電磁弁、２１，２２はそれぞれサブエバポレータ１５およびヒータコア７にエンジン冷却水を流通させこれらを機能させるためのウォータバルブである。冷媒回収管１３に取り付ける電磁弁２０は、コンプレッサ９の吸入側に向かう一方向に流れる冷媒のみを制御可能な弁（例えば、パイロット差圧作動式電磁弁など）であることが好ましい。
【００２５】
次に、作用を説明する。
【００２６】
暖房運転時（厳密には、暖房運転初期を除く）、例えば、外気温度が低いため従来のヒータコア７では十分な暖房が得られない領域において冷媒を利用して暖房を行う場合には、図３の制御弁の作動状態図に示すように、四方弁１２をバイパス側に制御することによって、コンプレッサ９から吐出した冷媒をメインコンデンサ１０をバイパスさせて直接サブコンデンサ（第１室内熱交換器）６に導く暖房サイクルを形成する。つまり、メインコンデンサ１０を使用せず、コンプレッサ９から出た冷媒は、四方弁１２→バイパス管１４→電磁弁Ａ→第１室内熱交換器（サブコンデンサ）６→電磁弁Ｂ→第２室内熱交換器（エバポレータ）５→サブエバポレータ１５→アキュムレータ１６と流れて、コンプレッサ９に帰還する。このとき、電磁弁Ａは全開状態、電磁弁Ｂは絞り状態にそれぞれ制御される。これにより、第１室内熱交換器６はサブコンデンサとして機能し、第２室内熱交換器５はエバポレータとして機能することになる。したがって、コンプレッサ９から吐出され四方弁１２でメインコンデンサ１０をバイパスしたガス状冷媒は、第１室内熱交換器（サブコンデンサ）６で凝縮液化されて放熱を行い、第２室内熱交換器（エバポレータ）５で冷却された空気は加熱されて車室内に吹き出され、もって車室内が暖房される。その際、第２室内熱交換器（エバポレータ）５は取入れ空気を冷却して除湿を行うので、除湿暖房が実現される（以上、図１参照）。
【００２７】
一方、冷房運転時には、図３の制御弁の作動状態図に示すように、四方弁１２をメインコンデンサ側に制御することによって、コンプレッサ９から吐出した冷媒をメインコンデンサ１０に導く冷房サイクルを形成する。つまり、コンプレッサ９から出た冷媒は、四方弁１２→メインコンデンサ１０→電磁弁Ａ→第１室内熱交換器（エバポレータ）６→電磁弁Ｂ→第２室内熱交換器（エバポレータ）５→サブエバポレータ１５→アキュムレータ１６と流れて、コンプレッサ９に帰還する。このとき、電磁弁Ａは絞り状態、電磁弁Ｂは全開状態にそれぞれ制御される。これにより、第１室内熱交換器６、第２室内熱交換器５はともにエバポレータとして機能することになる（つまり、第１室内熱交換器６で蒸発しきれなかった液状冷媒は、次の第２室内熱交換器５で完全に蒸発することになる）。したがって、エバポレータ（第１室内熱交換器６、第２室内熱交換器５）においては、液状冷媒と取入れ空気との熱交換が行われ、液状冷媒が蒸発しながら冷媒通路の周囲を通過する取入れ空気が冷却され、車室内が冷房される。また、メインコンデンサ１０においては、エバポレータ（第１室内熱交換器６、第２室内熱交換器５）で奪った熱を外気との熱交換により外部に放出して、ガス状冷媒を冷却し凝縮液化させる。なお、このとき、少なくとも、ブロアファン４、コンデンサファン１７はともにＯＮされ、サブエバポレータ１５用のウォータバルブ２１は閉じられている（以上、図２参照）。
【００２８】
なお、本実施の形態では、第１室内熱交換器６と第２室内熱交換器５のそれぞれについて流量切替電磁弁Ａ，Ｂを設けているが、これは冷房運転時に第１室内熱交換器６をもエバポレータとして機能させて冷房能力を高めるためである。
【００２９】
本実施の形態であるヒートポンプ式自動車用空気調和装置においては、上記のように、従来と同様、メインコンデンサ１０に滞留している冷媒をコンプレッサ９の吸入側に戻すため、四方弁１２とコンプレッサ９の吸入側との間に冷媒回収管１３を設けるとともに、この冷媒回収管１３に電磁弁２０を取り付けているが、前述したように、暖房運転初期に電磁弁２０を開けただけではメインコンデンサ１０の内圧とコンプレッサ９の吸入圧力との差が小さいため冷媒の回収量は少ない。そこで、本発明では、メインコンデンサ１０に滞留している冷媒を回収しやすくするため、暖房運転初期に一時的にメインコンデンサ１０に冷媒を流すようにシステムを制御するように構成している。
【００３０】
すなわち、暖房運転初期には、図３の制御弁の作動状態図に示すように、冷房運転時と同様、四方弁１２をメインコンデンサ側に制御することによって、コンプレッサ９から吐出した冷媒をメインコンデンサ１０に導く冷房サイクルを一時的に形成する。このとき、冷房運転時と同様、電磁弁Ａは絞り状態、電磁弁Ｂは全開状態にそれぞれ制御されるが、車室内の冷房が目的ではないので、ブロアファン４とコンデンサファン１７はともにＯＦＦしておく。また、サブエバポレータ１５用のウォータバルブ２１は閉じておく。このようなシステムの設定状態において、冷房サイクルの立ち上がりに伴い、冷房サイクルの圧力は次第に上昇し、メインコンデンサ１０の内圧、つまりメインコンデンサ１０内の冷媒圧力も上昇する。その後、適当なタイミングで四方弁１２を本来の暖房運転側に切り替えると、この時点ではメインコンデンサ１０の内圧とコンプレッサ９の吸入圧力との差がある程度大きくなっているので、その圧力差によってメインコンデンサ１０内の冷媒は冷媒回収管１３を通って低圧のコンプレッサ吸入側に移動し、暖房サイクル内に実際に戻されることになる。
【００３１】
ここでは、前記適当なタイミングとして、サイクル圧力を監視して、サイクル圧力があらかじめ設定された所定値以上になった時点で、四方弁１２を本来の暖房運転側に切り替えるようにしている。具体的に、どのサイクル圧力を監視するかは、冷媒の移動が生じやすい程度にまでメインコンデンサ１０の内圧が上昇したと判断することができるものであれば、冷房サイクル内のどの圧力を使用してもよい。例えば、コンプレッサ吐出圧力またはこれに相当する圧力、あるいはメインコンデンサ１０の入口または出口の圧力などである。実際には、圧力センサなどの取付けのしやすさなどを考慮して決定すればよい。
【００３２】
したがって、この場合には、サイクル圧力が所定値以上になった時点で四方弁１２を暖房運転側に切り替えることで、暖房に必要な冷媒回収のための準備が終了し、その後、実際に冷媒の回収を行いながら暖房運転を行うことになる。
【００３３】
なお、切替えのタイミングの基準としては、サイクル圧力に限定されるわけではなく、例えば、あらかじめ実験などにより、冷媒が移動しやすい圧力差になるのに必要十分な所定の時間を設定しておき、暖房運転モードがスタートしてからその所定時間経過後に四方弁１２を一時的な冷房運転側から本来の暖房運転側に切り替えるようにしてもよい。
【００３４】
したがって、本実施の形態によれば、冷媒を利用して暖房を行う場合において、暖房運転初期に四方弁１２を一時的に冷房運転側に設定して、メインコンデンサ１０に冷媒を流してその内圧を上昇させた後、適当な圧力センサの出力（サイクル圧力）が所定値以上に達した時点で四方弁１２を本来の暖房運転側に切り替えるようにしたので、冷媒移動に必要な圧力差を確保することが可能となり、部品を追加することなく上記の制御を追加するだけで、メインコンデンサ１０内に滞留している冷媒を有効に回収することができるようになる。したがって、暖房運転時に暖房サイクル内の冷媒量を適正に維持することができるようになり、過少冷媒の状態での暖房運転による暖房性能の低下や潤滑性の低下といった不具合が解消される。
【００３５】
《第２実施形態》
図４および図５は、本発明の第２の実施の形態に係るヒートポンプ式自動車用空気調和装置を示す概略構成図であり、図４は暖房運転時、図５は暖房運転初期および冷房運転時をそれぞれ示している。ここでは、上記した第１実施形態と比べて、使用する室外熱交換器の構造が異なるのみであり、その他のシステム構成および制御は全く同様であるから、共通する部材には同一の符合を付してその説明を省略し、異なる部分のみを説明するにとどめる。
【００３６】
本実施の形態においては、第１実施形態におけるメインコンデンサ１０に代えて、室外熱交換器として、ラジエータとコンデンサとを一体化した一体型熱交換器を使用している。この一体型熱交換器は、ラジエータとコンデンサの構成部品を簡素化・共有化して一体ロー付けして構成されたものであって、その構造自体は周知であるので（例えば、特開平１−２４７９９０号公報、特開平３−１７７７９５号公報、実開平２−６２２６８号公報参照）、その説明は省略する。
【００３７】
一体型熱交換器３０のラジエータ部３１は、エンジン２５と、温水配管２６を介して連結され、一体型熱交換器３０のコンデンサ部３２は、第１実施形態のメインコンデンサ１０と同じ位置に、冷媒配管１１を介して設置されている。一体型熱交換器３０のコンデンサ部３２は、第１実施形態のメインコンデンサ１０と全く同じ機能を有するものである。
【００３８】
この場合にも、例えば、低外気温時において従来のヒータコア７では十分な暖房が得られない領域では冷媒により暖房を行うが、暖房運転初期には、第１実施形態の場合と同様、四方弁１２を冷房運転側に制御することによって、コンプレッサ９から吐出した冷媒を一体型熱交換器３０のコンデンサ部３２に導く冷房サイクルを一時的に形成する。このときにも、電磁弁Ａは絞り状態、電磁弁Ｂは全開状態にそれぞれ制御し、ブロアファン４とコンデンサファン１７はともにＯＦＦ状態にし、サブエバポレータ１５用のウォータバルブ２１は閉じておく。このようなシステムの設定状態において、冷房サイクルの立ち上がりに伴い、冷房サイクルの圧力は次第に上昇し、コンデンサ部３２の内圧が上昇すると同時に、ラジエータ部３１で放出された熱によりコンデンサ部３２内の冷媒が加熱され、その結果、コンデンサ部３２内の圧力はさらに迅速に上昇することになる。その後、適当なタイミングで、例えば、サイクル圧力（適当な圧力センサの検出値）が所定値以上になった時点で、四方弁１２を本来の暖房運転側に切り替えることにより、暖房に必要な冷媒を回収するための準備は終了し、コンデンサ部３２の内圧とコンプレッサ９の吸入圧力との圧力差によってコンデンサ部３２内の冷媒は冷媒回収管１３を通って低圧のコンプレッサ吸入側への移動を開始し、その後、実際に冷媒の回収を行いながら暖房運転を行うことになる。
【００３９】
したがって、本実施の形態によれば、冷媒を利用して暖房を行う場合において、暖房運転初期に四方弁１２を一時的に冷房運転側に設定して、ラジエータとコンデンサとの一体型熱交換器３０のコンデンサ部３２に冷媒を流してそのコンデンサ部３２の内圧を冷媒の循環とラジエータ部３１の放熱とにより上昇させた後、適当な圧力センサの出力（サイクル圧力）が所定値以上に達した時点で四方弁１２を本来の暖房運転側に切り替えるようにしたので、冷媒移動に必要な圧力差をより迅速に確保することが可能となり、部品を追加することなく上記の制御を追加するだけで、コンデンサ部３２内に滞留している冷媒を有効にかつ効率良く回収することができるようになる。したがって、暖房運転時に暖房サイクル内の冷媒量を適正に維持することができるようになり、過少冷媒の状態での暖房運転による暖房性能の低下や潤滑性の低下といった不具合が解消される。
【００４０】
【発明の効果】
以上述べたように、請求項１記載の発明によれば、冷媒を利用して暖房を行う場合において、暖房運転初期に冷媒流路切替手段を一時的に冷房運転側に設定して、室外熱交換器の内圧を冷媒の循環により上昇させた後、冷媒流路切替手段を本来の暖房運転側に切り替えるようにしたので、冷媒移動に必要な圧力差を確保することが可能となり、部品を追加することなく制御を追加するだけで、室外熱交換器内に滞留している冷媒を有効に回収することができるようになる。したがって、暖房運転時に暖房サイクル内の冷媒量を適正に維持することができるようになり、過少冷媒の状態での暖房運転による暖房性能の低下や潤滑性の低下といった不具合が解消され、性能および信頼性の向上が図られる。
【００４１】
さらに請求項２記載の発明によれば、上記請求項１記載の発明の効果に加え、前記請求項１記載の室外熱交換器をラジエータとコンデンサとの一体型熱交換器で構成して、コンデンサ部の内圧を冷媒の循環とラジエータ部の放熱とにより上昇させるようにしたので、冷媒移動に必要な圧力差をより迅速に確保することが可能となり、部品を追加することなく制御を追加するだけで、コンデンサ部内に滞留している冷媒を有効にかつ効率良く回収することができるようになる。
【図面の簡単な説明】
【図１】  本発明の第１の実施の形態に係るヒートポンプ式自動車用空気調和装置を示す概略構成図（暖房運転時）である。
【図２】  同じく本発明の第１の実施の形態に係るヒートポンプ式自動車用空気調和装置を示す概略構成図（暖房運転初期、冷房運転時）である。
【図３】  制御弁の作動状態を示す図である。
【図４】  本発明の第２の実施の形態に係るヒートポンプ式自動車用空気調和装置を示す概略構成図（暖房運転時）である。
【図５】  同じく本発明の第２の実施の形態に係るヒートポンプ式自動車用空気調和装置を示す概略構成図（暖房運転初期、冷房運転時）である。
【符号の説明】
５…第２室内熱交換器
６…第１室内熱交換器
９…コンプレッサ
１０…メインコンデンサ（室外熱交換器）
１２…四方弁（冷媒流路切替手段）
１３…冷媒回収管
１４…バイパス管
３０…一体型熱交換器
３１…ラジエータ部
３２…コンデンサ部
Ａ，Ｂ…流量切替電磁弁（減圧手段）
【図１】
0003830242.tif 000002
【図２】
0003830242.tif 000003
【図３】
0003830242.tif 000004
【図４】
0003830242.tif 000005
【図５】
0003830242.tif 000006